(57)【要約】【課題】内部固視標を固視の安定感を損なわず、固視標の移動時でも被検眼を容易に誘導できるようにする。【解決手段】（ａ）は移動前の固視提示位置、（ｂ）は移動途中、（ｃ）は移動後の固視提示位置を示している。固視標移動スイッチを操作して、固視標の位置を（ａ）から（ｃ）に移動させる場合に、移動途中状態である（ｂ）では、液晶シャッタの開口部の数を増加させて固視標を大きくし、移動後は（ｃ）に示すように開口部の数を減少させて固視標を小さくし被検眼に提示する。このとき、テレビモニタの固視標位置表示キャラクタも、同様の変化をさせると検者にとっても見易くなる。【選択図】　　　　図３
2004141563.tif 000002
【特許請求の範囲】
【請求項１】
被検眼を撮像する撮像手段と、任意の位置に固視標を提示可能な固視標提示手段と、該固視標提示手段を制御する制御手段と、前記固視標提示手段の固視標提示位置を電気信号に変換する変換手段と、前記撮像手段により撮像した被検眼像と前記電気信号に変換した固視標提示位置とを合成して表示する表示手段とを備えた眼科撮影装置において、前記表示手段において前記固視標を任意の位置に移動中に前記固視標の大きさを可変とすることを特徴とする眼科撮影装置。
【発明の詳細な説明】
【０００１】
【発明の属する技術分野】
本発明は、眼科医院や集団検診等で使用される眼科撮影装置に関するものである。
【０００２】
【従来の技術】
従来から、被検眼を所望の撮影部位に誘導するための光源を設け、被検眼にこの光源を固視させることによって、被検眼の所望部位を撮影する眼底カメラが、例えば特開平８−２５２２２４号公報等で知られている。
【０００３】
図６は従来の眼底カメラの構成を示し、被検眼Ｅと対向している対物レンズ１の背後の光路上には、中央部に開口を有する孔あきミラー２、フォーカスレンズ３、撮影レンズ４、回動可能なミラー５が配列されている。ミラー５の上方は固視光学系であり、リレーレンズ６、被検眼を固視させるための多数の液晶素子を配列した液晶シャッタ７、光源８が配置されている。
【０００４】
ミラー５の後方には、フィールドレンズ９、視野絞り１０、結像レンズ１１、撮像手段１２が配置されている。また、孔あきミラー２の入射方向の光路上には、レンズ１３、リング絞り１４、光源１５が配置されている。制御手段１６には、撮像手段１２、テレビモニタ１７、撮影スイッチ１８、固視標移動スイッチ１９がそれぞれ接続されている。
【０００５】
検者は被検眼の所望部位を撮影するために、液晶シャッタ７の所望位置の液晶素子を点灯し被検者に提示する。液晶シャッタ７の位置情報は電気信号に変換され、その情報に基づいた位置にキャラクタＣを発生させ、図７に示すように観察画面上に合成して被検者に目視させている。
【０００６】
また、所望部位を変更する場合には、例えば十字キー等から成る固視標移動スイッチ１９を作用させ、液晶シャッタ７の点灯位置を移動させると、観察画面上のキャラクタＣも液晶シャッタ７の移動に連動して画面上を移動する。
【０００７】
【発明が解決しようとする課題】
しかしながら上述の従来例においては、特に散瞳剤を使用しない無散瞳撮影の場合に、固視誘導は暗い中に輝点を提示して固視させており、このとき固視を安定させるために輝点を小さくしている場合が一般的である。しかしながら、固視安定のための大きさのままで、輝点を移動して所望の位置に被検眼を誘導するには、輝点が小さくて見難く、更には被検者が輝点を見失い易いという問題点がある。
【０００８】
本発明の目的は、上述の問題点を解消し、固視標の移動中に固視標の大きさを変え、所望の位置で再度固視標を元の大きさに戻すことができる眼底カメラを提供することにある。
【０００９】
【課題を解決するための手段】
上記目的を達成するための本発明に係る眼科撮影装置は、撮像した被検眼像と電気信号に変換した固視標提示位置とを合成して表示する表示手段とを備え、表示手段において固視標を任意の位置に移動中に前記固視標の大きさを可変とする。
【００１０】
【発明の実施の形態】
本発明を図１〜図５に図示の実施の形態に基づいて詳細に説明する。
図１において、被検眼Ｅと対向している対物レンズ２１の背後の光路上には、中央部に開口を有する孔あきミラー２２、フォーカスレンズ２３、撮影レンズ２４、回動可能な回動ミラー２５、フィールドレンズ２６、視野絞り２７、結像レンズ２８、撮像手段２９が配列されている。ミラー２５の上方には、被検眼Ｅの固視光学系として、結像レンズ３０、液晶シャッタ３１、光源３２が配列されている。
【００１１】
また、孔あきミラー２２の入射方向の光路上には、レンズ３３、リング絞り３４、観察光源３５が配列され、リング絞り３４はレンズ３３に関して孔あきミラー２２と略共役に配置されている。
【００１２】
撮像手段２９の出力は制御手段４１に接続され、制御手段４１にはテレビモニタ４２、撮影スイッチ４３、固視標移動スイッチ４４、結像レンズ２８の位置検出器４５がそれぞれ接続され、制御手段４１は液晶シャッタ３１に対する固視灯制御機能をも有している。
【００１３】
観察に際して、観察光源３５を発した光束は、リング絞り３４の開口部、レンズ３３を通り、孔あきミラー２２のミラー部により左方に反射され、対物レンズ２１を介して被検眼Ｅの眼底Ｅｒを照明する。眼底Ｅｒでの反射光束は、瞳孔Ｅｐ、対物レンズ２１、孔あきミラー２２の開口部、フォーカスレンズ２３、撮影レンズ２４、フィールドレンズ２６を通り、視野絞り２７の近傍に眼底像として一旦結像し、結像レンズ２８を介して撮影手段２９に再度結像する。撮影手段２９に結像した眼底像Ｐｒはビデオ信号に変換され、制御手段４１を介してテレビモニタ４２に映出される。
【００１４】
撮影者はこのテレビモニタ４２に映出されている眼底動画像を観察し、フォーカスレンズ２３を調整して眼底像Ｐｒの照準を合わせ、更に被検眼Ｅの所望部位を撮影するために固視標移動スイッチ４４を操作する。このときの様子は、図７で示した従来例のテレビモニタ１７の画面と同様である。
【００１５】
回動ミラー２５を上昇し、光源３２により照明された液晶シャッタ３１の像を結像レンズ３０、回動ミラー２５を介して対物レンズ２１により被検眼Ｅに提示する。撮影者は液晶シャッタ３１により被検眼Ｅを所望部位に誘導した後に撮影スイッチ４３を押し、観察光源３５を発光させて眼底像を制御手段４１内部の記憶手段に静止画像として記録する。図２はこのときの液晶シャッタ３１の開口部３１ａと遮光部３１ｂの位置関係を示している。
【００１６】
図３（ａ）〜（ｃ）は固視標移動時の開口部３１ａと遮光部３１ｂの様子である。図３（ａ）は移動前の固視提示位置、（ｂ）は移動途中、（ｃ）は移動後の固視提示位置を示している。固視標移動スイッチ４４を操作して、固視標の位置を（ａ）から（ｃ）に移動させる場合に、移動途中状態である（ｂ）では、開口部３１ａの数を増加させて固視標を大きくし、移動後は（ｃ）に示すように開口部３１ａの数を減少させて固視標を小さくし被検眼Ｅに提示する。このとき、テレビモニタ４２上には固視標位置表示キャラクタＣも、図４に示すＣａ、Ｃｂ、Ｃｃのような変化をさせるようにすると、検者にとっても見易くなり好ましい。
【００１７】
図５はその固視標提示位置を変更する際の制御のフローチャート図である。ステップＳ１でイニシャライズを行い、ステップＳ２で固視標移動スイッチ４４の入力を行う。次のステップＳ３では、固視標移動スイッチ４４の操作を受けて、固視標の開口部３１ａの開口部数を多くして移動を行う。
【００１８】
ステップＳ４では固視標移動終了の判定を行う。移動終了の場合はステップＳ６で固視標開口部３１ａの開口部数を減らして、移動前と同じ開口部数にする。ステップＳ４で移動終了ではない場合、つまり移動継続の場合には、ステップＳ５で移動終了まで開口部数が多いままの状態にする。そして移動終了後は、ステップＳ６で移動前と同じ開口部数にする。その後に、ステップＳ７で所望位置であればステップＳ８で撮影を行い、そうでない場合には再度ステップＳ２に戻り、所望位置に被検眼Ｅを誘導して撮影を行う。
【００１９】
なお、本実施の形態では、固視標提示装置に液晶シャッタ３１を用いているが、例えば複数個のＬＥＤ光源等を用いて、点灯する光源の数を制御することにより、固視標の大きさに変化を与えてもよい。
【００２０】
本発明の実施の形態をまとめて次に列挙する。
【００２１】
［実施の形態１］　被検眼を撮像する撮像手段と、任意の位置に固視標を提示可能な固視標提示手段と、該固視標提示手段を制御する制御手段と、前記固視標提示手段の固視標提示位置を電気信号に変換する変換手段と、前記撮像手段により撮像した被検眼像と前記電気信号に変換した固視標提示位置とを合成して表示する表示手段とを備えた眼科撮影装置において、前記表示手段において前記固視標を任意の位置に移動中に前記固視標の大きさを可変とすることを特徴とする眼科撮影装置。
【００２２】
［実施の形態２］　前記固視標は移動中の大きさを停止中の大きさよりも大きくした実施の形態１に記載の眼科撮影装置。
【００２３】
［実施の形態３］　前記固視標提示手段は液晶ディスプレイとした実施の形態１に記載の眼科撮影装置。
【００２４】
［実施の形態４］　前記固視標提示手段による前記固視標の大きさは、液晶部の開口数により変化させるようにした実施の形態３に記載の眼科撮影装置。
【００２５】
［実施の形態５］　前記固視標提示手段は複数個のＬＥＤ光源を配列した実施の形態１に記載の眼科撮影装置。
【００２６】
［実施の形態６］　前記固視標提示手段による固視標の大きさは、配列した複数個のＬＥＤ光源の点灯数を変化させるようにした実施の形態５に記載の眼科撮影装置。
【００２７】
【発明の効果】
以上説明したように本発明に係る眼科撮影装置は、固視標の提示位置移動中に固視標の大きく提示し、所望部位で小さく提示するため、被検者が固視標を見失うことなく、かつ安定した固視を行うことができる。
【図面の簡単な説明】
【図１】構成図である。
【図２】固視標の説明図である。
【図３】固視標提示の説明図である。
【図４】被検眼観察画面の説明図である。
【図５】動作のフローチャート図である。
【図６】従来例の構成図である。
【図７】従来例の被検眼観察画面の説明図である。
【符号の説明】
２１　対物レンズ
２２　孔あきミラー
２５　回動ミラー
２９　撮像手段
３１　液晶シャッタ
３２、３５　光源
４１　制御手段
４２　テレビモニタ
４３　撮影スイッチ
４４　固視標移動スイッチ
４５　位置検出器
【図１】
2004141563.tif 000003
【図２】
2004141563.tif 000004
【図３】
2004141563.tif 000005
【図４】
2004141563.tif 000006
【図５】
2004141563.tif 000007
【図６】
2004141563.tif 000008
【図７】
2004141563.tif 000009